(57)【要約】【課題】周囲光の分光特性の変動に関わらず、周囲の明るさに応じて光源の発光輝度を制御することが可能となる制御装置を提供する。【解決手段】機器に設けられた光源の発光輝度を制御する制御装置であって、前記機器の周囲照度を検出する照度センサと、前記照度センサの検出照度と閾値との比較結果に基づいて、前記発光輝度を制御する制御部と、分光感度特性が異なる複数の照度センサによる前記周囲照度の検出結果に基づいて、前記閾値を調節する調節部と、を備えた制御装置とする。【選択図】図２
2014220183.tif 000002
【特許請求の範囲】
【請求項１】
機器に設けられた光源の発光輝度を制御する制御装置であって、
前記機器の周囲照度を検出する照度センサと、
前記照度センサの検出照度と閾値との比較結果に基づいて、前記発光輝度を制御する制御部と、
分光感度特性が異なる複数の照度センサによる前記周囲照度の検出結果に基づいて、前記閾値を調節する調節部と、
を備えたことを特徴とする制御装置。
【請求項２】
前記調節部は、
前記検出照度が前記閾値となるときの前記周囲照度の変動を低減させるように、前記閾値を調節することを特徴とする請求項１に記載の制御装置。
【請求項３】
前記調節部は、
異なる前記検出結果ごとに対応した前記閾値の各候補を記憶しており、
前記閾値を前記候補のうちの何れかに調節することを特徴とする請求項２に記載の制御装置。
【請求項４】
前記調節部は、
ユーザにより前記候補のうちの何れかを特定する情報が入力されたとき、前記閾値を該特定された候補に調節することを特徴とする請求項３に記載の制御装置。
【請求項５】
機器に設けられた光源の発光輝度を制御する制御装置であって、
前記機器の周囲照度を検出する照度センサと、
前記照度センサの検出照度と閾値との比較結果に基づいて、前記発光輝度を制御する制御部と、
ユーザにより入力された前記閾値を特定する情報に基づいて、前記閾値を調節する調節部と、
を備えたことを特徴とする制御装置。
【請求項６】
前記検出照度が前記閾値以下であるときに、
前記検出照度が前記閾値を超えているときに比べて前記発光輝度を低くする輝度抑制モード、となることを特徴とする請求項１から請求項５の何れかに記載の制御装置。
【請求項７】
前記制御部は、
前記輝度抑制モードにおいて、前記検出照度が小さいほど前記発光輝度を低くすることを特徴とする請求項６に記載の制御装置。
【請求項８】
請求項１から請求項７の何れかに記載の制御装置と、
前記制御装置によって発光輝度が制御される光源と、
を備えたことを特徴とする発光装置。
【請求項９】
前記光源として、バックライト用の光源を備えたことを特徴とする請求項８に記載の発光装置。
【発明の詳細な説明】
【技術分野】
【０００１】
本発明は、光源の発光輝度を制御する制御装置、およびこれを備えた発光装置に関する。
【背景技術】
【０００２】
従来、周囲の明るさに応じてバックライトの輝度を制御する液晶表示装置等が利用されている。このような液晶表示装置は、照度センサによる周囲照度の検出結果に基づいて、バックライトの輝度を制御するように構成されている。
【０００３】
上述した液晶表示装置は、例えば周囲が比較的暗いとき（すなわち、検出照度が所定閾値以下となったとき）に、バックライトの輝度を下げるように制御する。これにより映像の視認性を極力落とすことなく、消費電力を抑えることが可能となる。
【先行技術文献】
【特許文献】
【０００４】
【特許文献１】特開平９−１４６０７３号公報
【発明の概要】
【発明が解決しようとする課題】
【０００５】
ところで上述した照度センサが受ける周囲光の分光特性は、周囲の光源の種類（例えば、蛍光灯、ＬＥＤ、および白熱灯等の何れであるか）によって異なる。また照度センサは、一般的に分光感度特性を有しており、受ける光の分光特性によってゲイン（実際の周囲照度と検出信号の値との関係）が変動する。
【０００６】
このように照度センサのゲインが変動すると、周囲の明るさに応じてバックライトの輝度を適切に制御することは難しくなる。なおこのような問題は、液晶表示装置に限られず、周囲の明るさに応じて光源の発光輝度を制御する様々な装置において、該当する可能性が有る。
【０００７】
本発明は上述した問題に鑑み、周囲の明るさに応じて光源の発光輝度を適切に制御することが容易となる制御装置、およびこれを備えた発光装置の提供を目的とする。
【課題を解決するための手段】
【０００８】
本発明に係る制御装置は、機器に設けられた光源の発光輝度を制御する制御装置であって、前記機器の周囲照度を検出する照度センサと、前記照度センサの検出照度と閾値との比較結果に基づいて、前記発光輝度を制御する制御部と、分光感度特性が異なる複数の照度センサによる前記周囲照度の検出結果に基づいて、前記閾値を調節する調節部と、を備えた構成とする。本構成によれば、周囲の明るさに応じて光源の発光輝度を適切に制御することが容易となる。
【０００９】
また上記構成としてより具体的には、前記調節部は、前記検出照度が前記閾値となるときの前記周囲照度の変動を低減させるように、前記閾値を調節する構成としてもよい。
【００１０】
また上記構成としてより具体的には、前記調節部は、異なる前記検出結果ごとに対応した前記閾値の各候補を記憶しており、前記閾値を前記候補のうちの何れかに調節する構成としてもよい。本構成によれば、予め適切な各候補を用意しておくことにより、当該閾値を適切に調節することが容易となる。
【００１１】
また上記構成としてより具体的には、前記調節部は、ユーザにより前記候補のうちの何れかを特定する情報が入力されたとき、前記閾値を該特定された候補に調節する構成としてもよい。
【００１２】
また本発明に係る他の形態の制御装置は、機器に設けられた光源の発光輝度を制御する制御装置であって、前記機器の周囲照度を検出する照度センサと、前記照度センサの検出照度と閾値との比較結果に基づいて前記発光輝度を制御する制御部と、ユーザにより入力された前記閾値を特定する情報に基づいて、前記閾値を調節する調節部と、を備えた構成とする。本構成によれば、周囲の明るさに応じて光源の発光輝度を適切に制御することが容易となる。
【００１３】
また上記構成としてより具体的には、前記検出照度が前記閾値以下であるときに、前記検出照度が前記閾値を超えているときに比べて前記発光輝度を低くする輝度抑制モード、となる構成としてもよい。また当該構成として更に具体的には、前記制御部は、前記輝度抑制モードにおいて、前記検出照度が小さいほど前記発光輝度を低くする構成としてもよい。
【００１４】
また本発明に係る発光装置は、上記構成の制御装置と、前記制御装置によって発光輝度が制御される光源と、を備えた構成とする。また当該構成としてより具体的には、前記光源として、バックライト用の光源を備えた構成としてもよい。
【発明の効果】
【００１５】
本発明に係る制御装置によれば、周囲の明るさに応じて光源の発光輝度を適切に制御することが容易となる。また本発明に係る発光装置によれば、本発明に係る制御装置の利点を享受することが可能となる。
【図面の簡単な説明】
【００１６】
【図１】本実施形態に係るテレビ放送受像機のブロック図である。
【図２】第１実施形態の制御部およびその周辺のブロック図である。
【図３】発光輝度の制御内容に関するグラフである。
【図４】電圧閾値の調節に関する説明図である。
【図５】電圧閾値の調節に関する説明図である。
【図６】電圧閾値の調節に関する説明図である。
【図７】電圧閾値の調節に関する説明図である。
【図８】電圧閾値の調節に関する説明図である。
【図９】第１実施形態の電圧閾値調節動作に関するフローチャートである。
【図１０】第２実施形態の制御部およびその周辺のブロック図である。
【図１１】第２実施形態の電圧閾値調節動作に関するフローチャートである。
【図１２】ＯＳＤ画面に関する説明図である。
【図１３】第３実施形態の電圧閾値調節動作に関するフローチャートである。
【発明を実施するための形態】
【００１７】
本発明の実施形態について第１から第３実施形態の各々を例に挙げ、図面を参照しながら以下に説明する。
【００１８】
１．第１実施形態
まず第１実施形態について説明する。図１は、本実施形態に係るテレビ放送受像機１（光源が設けられた機器の一形態）の構成に関するブロック図である。本図に示すようにテレビ放送受像機１は、放送受信部１１、放送信号処理部１２、映像信号処理部１３、液晶パネルユニット１４、バックライトユニット１５、制御部１６、および操作部１７を備えている。
【００１９】
放送受信部１１は、例えばアンテナやチューナ装置などを有しており、テレビ放送の信号を継続的に受信する。受信された放送信号は、放送信号処理部１２に送出される。
【００２０】
放送信号処理部１２は、放送信号から映像信号および音声信号を取得する。放送信号処理部１２は、映像信号を映像信号処理部１３に送出し、音声信号を、不図示のスピーカ装置（音声信号に基づいて音声を発生させる装置）に送出する。
【００２１】
映像信号処理部１３は、放送信号処理部１２から受取った映像信号に対して所定処理（例えば、色調を補正する処理等）を施す。このような処理が施された映像信号は、液晶パネルユニット１４へ送出される。
【００２２】
液晶パネルユニット１４は、液晶パネルやパネルドライバを備えている。液晶パネル１５ａは、複数の画素（液晶を挟んで対向配置された電極を有する）や、各画素に対応したＲＧＢのカラーフィルタなどを有する。液晶パネルは、各画素に設けられた電極の電圧が調整されることにより、バックライトの光の透過度合が画素ごとに調整される。
【００２３】
またパネルドライバは、映像信号処理部１３から受取った映像信号に基づいて、液晶パネルにおける各画素電極の電圧を調整する。これにより液晶パネルの裏側にバックライトの光が照らされると、液晶パネルの表示領域に映像が表示されることとなる。
【００２４】
バックライトユニット１５は、バックライトの光を出す光源１５ａ（例えばＬＥＤ）を備えており、液晶パネルユニット１４へバックライトの光を照射するように形成されている。なお光源１５ａの発光輝度は、制御部１６によって制御される。光源１５ａの発光輝度の制御形態については、改めて詳細に説明する。
【００２５】
制御部１６は、テレビ放送受像機１の各部を制御し、テレビ放送受像機１の機能（テレビ放送の画像を表示する機能など）を発揮させるために必要な各種処理を実行させる。また操作部１７は、ユーザに操作される操作スイッチやリモートコントロール装置等を有し、操作内容を制御部１６に伝える。これにより、テレビ放送受像機１の各動作にユーザの意図を反映させることが可能である。
【００２６】
また図２は、制御部１６およびその周辺の構成に関するブロック図である。なお本図では、主に光源１５ａの発光輝度の制御に関わる部分を表示し、その他の部分の表示を省略している。図２に示すように制御部１６は、複数個（ここでは３個）の照度センサ（６１ａ〜６１ｃ）、発光輝度制御部６２、および電圧閾値調節部６３等を有している。
【００２７】
各照度センサ（６１ａ〜６１ｃ）は、受光部（例えば、フォトダイオード或いはフォトトランジスタ）がテレビ放送受像機１の周囲空間へ露出するように配置されており、テレビ放送受像機１の周囲照度（周囲の明るさ）を検出する。各照度センサ（６１ａ〜６１ｃ）は、照度に応じた光電流を電圧に変換して出力するように形成されている。これにより各照度センサ（６１ａ〜６１ｃ）は、検出した照度に応じた検出信号を、電圧の信号（検出照度が高いほど電圧が高くなる信号）として出力する。
【００２８】
また各照度センサ（６１ａ〜６１ｃ）は、それぞれ分光感度特性が異なっている。より具体的に説明すると、照度センサ６１ｂの分光感度特性は、所定の波長域αｂに対して感度が高い特性となっている。また照度センサ６１ａの分光感度特性は、波長域αｂより高い波長域αａに対して、感度が高い特性となっている。また照度センサ６１ｃの分光感度特性は、波長域αｂより低い波長域αｃに対して、感度が高い特性となっている。
【００２９】
このように照度センサ６１ｂの分光感度特性を基準とすると、照度センサ６１ａの分光感度特性は、比較的高い波長域に対して感度が高い特性となっており、照度センサ６１ｃの分光感度特性は、比較的低い波長域に対して感度が高い特性となっている。なお照度センサ６１ａの分光感度特性は、波長域αａから低くなるほど、感度が低くなる特性であるとする。
【００３０】
各照度センサ（６１ａ〜６１ｃ）は、例えば同じ照度の光を受ける場合であっても、感度の高い波長域の光を受けるときには、感度の低い波長域の光を受ける場合に比べ、高い値の検出信号を出力することになる。各照度センサ（６１ａ〜６１ｃ）の検出信号は、発光輝度制御部６２や電圧閾値調節部６３等を有するＳｏＣ［System-on-a-Chip］へ送出される。
【００３１】
発光輝度制御部６２は、照度センサ６１ａの検出信号値（検出信号の値であり、照度センサ６１ａの検出照度に相当する）が電圧閾値Ｔｈ以下であるか否かに基づいて、光源１５ａの発光輝度を制御する。
【００３２】
図３は、発光輝度制御部６２による発光輝度の制御内容、すなわち、照度センサ６１ａの検出信号値と光源１５ａの発光輝度との関係を例示したグラフである。なお図３において、横軸は検出信号値を表し、縦軸は発光輝度を表している。
【００３３】
本図に示すように、検出信号値が電圧閾値Ｔｈを超えている場合には、発光輝度の制御に関するモードは「標準モード」となり、検出信号値が電圧閾値Ｔｈ以下となっている場合には、発光輝度の制御に関するモードは「輝度抑制モード」となる。
【００３４】
発光輝度制御部６２は、標準モードのときに、光源１５ａの発光輝度を所定の標準輝度で一定となるようにする。一方で発光輝度制御部６２は、輝度抑制モードのときには、光源１５ａの発光輝度を標準輝度より（つまり、検出信号値が電圧閾値Ｔｈを超えているときに比べて）低くする。また輝度抑制モードにおいて、発光輝度制御部６２は、検出信号値が小さいほど光源１５ａの発光輝度を低くする。
【００３５】
このようにして光源１５ａの発光輝度が制御されることにより、周囲照度に応じたバックライト制御が実現される。すなわち、周囲照度が比較的低いということは、テレビ放送受像機１が比較的暗い場所で使用されていると言える。そしてこの場合には、バックライトの明るさを比較的低くしても映像の視認性は十分に確保され得る。
【００３６】
またバックライトの明るさを低くする分だけ、光源１５ａの発光に要する電力消費は抑えられる。本実施形態によれば、周囲照度が低いほどバックライトの明るさが抑えられるように制御されるため、映像の視認性を殆ど落とすことなく、電力消費を抑えることが可能である。
【００３７】
電圧閾値調節部６３は、電圧閾値Ｔｈを調節する役割を果たす。ここで電圧閾値Ｔｈの調節が必要となる理由について、図４〜図８を参照しながら以下に説明する。
【００３８】
先述した光源１５ａの発光輝度の制御については、周囲光の分光特性に関わらず、実際の周囲照度がある特定の照度以下となったときに、輝度抑制モードとなることが望ましい。この特定の照度を、以下の説明では、便宜的に「モード切替目標照度Ｄａ」とする。
【００３９】
電圧閾値Ｔｈの設定にあたっては、例えば図４に示すように、実際の周囲照度がモード切替目標照度Ｄａであるときの照度センサ６１ａの検出信号値が求められ、この検出信号値と一致するように電圧閾値Ｔｈが設定されることになる。
【００４０】
なお図４（後述する図５〜図８についても同様）は、横軸が実際の周囲照度を表し、縦軸が検出信号値を表している。また図４に示す直線Ｌ１は、周囲光の分光特性が波長域αｂでエネルギーが高い場合における、実際の周囲照度と検出信号値との関係を表しているとする。図４に示すように電圧閾値Ｔｈが設定されれば、周囲光の分光特性が一定である限り、適切な状況下で（実際の周囲照度がモード切替目標照度Ｄａ以下となったときに）輝度抑制モードとなるようにすることが可能である。
【００４１】
しかしながら周囲光の分光特性は、テレビ放送受像機１の周囲の光源の種類（一例を挙げれば、蛍光灯、ＬＥＤ、および白熱灯等の何れであるか）によって異なる。そして周囲光の分光特性が変動すると、照度センサ６１ａの分光感度特性によって、実際の周囲照度と検出信号値との関係（照度センサ６１ａのゲイン）が変動する。そのため電圧閾値Ｔｈが適切に調節されないと、検出信号値が電圧閾値Ｔｈとなるときの実際の周囲照度が、大きく変動する虞がある。
【００４２】
例えば、周囲光の分光特性が比較的高い波長域αａでエネルギーが高い状況となった場合には、図４に示す場合よりも照度センサ６１ａの感度が高くなり、実際の周囲照度と検出信号値との関係は図５に直線Ｌ２で示す通りとなる。そうなると図５に示すように、実際の周囲照度がモード切替目標照度Ｄａよりも低い照度Ｄ１とならないと、検出信号値は電圧閾値Ｔｈとならない。
【００４３】
すなわち、「検出信号値が電圧閾値Ｔｈとなるときの実際の周囲照度」とモード切替目標照度Ｄａとの間には、図５に矢印で示すような誤差（以下、「誤差Ｅ」と称することがある）が発生する。そのため、実際の周囲照度がモード切替目標照度Ｄａにまで低下しても、更に照度Ｄ１以下となるまで輝度抑制モードとはならない。
【００４４】
但しこの場合であっても、図６に示すように電圧閾値がＴｈからＴｈ´に調節されれば、実際の周囲照度がモード切替目標照度Ｄａになると、検出信号値は電圧閾値Ｔｈ´となる。すなわち、図６に矢印で示すように誤差Ｅが修正され、実際の周囲照度がモード切替目標照度Ｄａ以下となったときに、輝度抑制モードとなるようにすることが可能となる。
【００４５】
また例えば、周囲光の分光特性が比較的低い波長域αｃでエネルギーが高い状況となった場合には、図４に示す場合よりも照度センサ６１ａの感度が低くなり、実際の周囲照度と検出信号値との関係は図７に直線Ｌ３で示す通りとなる。そうなると図７に示すように、実際の周囲照度がモード切替目標照度Ｄａよりも高い照度Ｄ２となった段階で、検出信号値は電圧閾値Ｔｈとなる。
【００４６】
すなわち、図７に矢印で示すように誤差Ｅが発生し、実際の周囲照度がモード切替目標照度Ｄａにまで低下していなくても、照度Ｄ２以下となった段階で輝度抑制モードとなってしまう。
【００４７】
但しこの場合であっても、図８に示すように電圧閾値がＴｈからＴｈ´´に調節されれば、実際の周囲照度がモード切替目標照度Ｄａとなると、検出信号値は電圧閾値Ｔｈ´´となる。すなわち、図８に矢印で示すように誤差Ｅが修正され、実際の周囲照度がモード切替目標照度Ｄａ以下となったときに、輝度抑制モードとなるようにすることが可能となる。
【００４８】
上述したような理由から、誤差Ｅを低減させるために電圧閾値Ｔｈを調節することが必要となる。なお照度センサ６１ａの分光感度特性は予め判っているため、更にそのときの周囲光の分光特性が判れば、上述した主旨の調節は実現可能である。
【００４９】
そこで電圧閾値調節部６３は、分光感度特性の異なる各照度センサ（６１ａ〜６１ｃ）の検出結果に基づき、誤差Ｅを低減させるように電圧閾値Ｔｈを調節する。具体的に説明すると、電圧閾値調節部６３は、異なる当該検出結果ごとに対応した電圧閾値Ｔｈの各候補（以下、「閾値候補」とする）を記憶しており、電圧閾値Ｔｈをこれらの閾値候補のうちの何れかに調節するようになっている。
【００５０】
すなわち分光感度特性の異なる各照度センサ（６１ａ〜６１ｃ）は分光器に準じた役割を果たし、各照度センサ（６１ａ〜６１ｃ）の検出結果は、周囲光の分光特性に応じた情報となる。そのため各照度センサ（６１ａ〜６１ｃ）の検出結果は、ある特定の分光特性に対応している。
【００５１】
また蛍光灯、ＬＥＤ、および白熱灯の一般的な分光特性は予め判っている。そのため、各照度センサ（６１ａ〜６１ｃ）の検出結果に対応する分光特性が、蛍光灯、ＬＥＤ、および白熱灯の何れの分光特性に近似しているかを判別することは可能である。
【００５２】
また本実施形態では、上述した各閾値候補の一例として、「蛍光灯」の閾値候補、「ＬＥＤ」の閾値候補、および「白熱灯」の閾値候補が予め用意されており、電圧閾値調節部６３に記憶されている。
【００５３】
「蛍光灯」の閾値候補は、蛍光灯の光の分光特性に近似した検出結果に対応する閾値候補であり、周囲光源が蛍光灯である場合に適した（つまり、誤差Ｅを出来るだけ低減させることが可能な）電圧閾値Ｔｈを表す。また「ＬＥＤ」の閾値候補は、ＬＥＤの光の分光特性に近似した検出結果に対応する閾値候補であり、周囲光源がＬＥＤである場合に適した電圧閾値Ｔｈを表す。
【００５４】
また「白熱灯」の閾値候補は、白熱灯の光の分光特性に近似した検出結果に対応する閾値候補であり、周囲光が白熱灯である場合に適した電圧閾値Ｔｈを表す。なお閾値候補の具体的な内容等については、上述したものの他、製品仕様等に応じて様々なものとすることが可能である。
【００５５】
［電圧閾値調節動作］
次に、制御部１６（主に電圧閾値調節部６３）が行う電圧閾値Ｔｈを調節するための動作（以下、「電圧閾値調節動作」とする）の流れについて、図９に示すフローチャートを参照しながら説明する。
【００５６】
制御部１６は、電圧閾値Ｔｈの自動調節を行うべきタイミングの到来を監視する（ステップＳ１１）。なお当該自動調節を行うべきタイミングについては、種々の態様が採用され得る。例えば当該タイミングは、ユーザによって所定操作がなされたタイミングとしても良く、既定の周期で繰返し到来するタイミングとしても良い。
【００５７】
電圧閾値Ｔｈの自動調節を行うべきタイミングが到来すると（ステップＳ１１のＹ）、制御部１６は、電圧閾値Ｔｈの自動調節を開始する。具体的に説明すると、制御部１６は、まず現時点における各照度センサ（６１ａ〜６１ｃ）の検出結果を取得する（ステップＳ１２）。その後に制御部１６は、予め記憶されている各閾値候補のうち、今回取得した各照度センサ（６１ａ〜６１ｃ）の検出結果に対応したものを選出する（ステップＳ１３）。
【００５８】
すなわち、当該検出結果に対応する分光特性が蛍光灯の光の分光特性に近似している場合には、制御部１６は「蛍光灯」の閾値候補を選出する。一方、当該検出結果に対応する分光特性がＬＥＤの光の分光特性に近似している場合には、制御部１６は「ＬＥＤ」の閾値候補を選出する。一方、当該検出結果に対応する分光特性が白熱灯の光の分光特性に近似している場合には、制御部１６は「白熱灯」の閾値候補を選出する。
【００５９】
そして制御部１６は、光源１５ａの発光輝度の制御に用いられる電圧閾値Ｔｈを、今回選出された閾値候補に調節する（ステップＳ１４）。その後、電圧閾値調節動作の流れはステップＳ１１に戻る。ステップＳ１４の動作により、電圧閾値Ｔｈは、現状の周囲の光源に応じて適切に調節されることになる。
【００６０】
すなわち、主な光源が蛍光灯である場合（検出結果が蛍光灯の光の分光特性に近似していた場合）には、電圧閾値Ｔｈは、主な光源が蛍光灯である状況下で誤差Ｅを極力小さくすることが可能な値（「蛍光灯」の閾値候補）に調節される。
【００６１】
また主な光源がＬＥＤである場合（検出結果がＬＥＤの光の分光特性に近似していた場合）には、電圧閾値Ｔｈは、主な光源がＬＥＤである状況下で誤差Ｅを極力小さくすることが可能な値（「ＬＥＤ」の閾値候補）に調節される。
【００６２】
また主な光源が白熱灯である場合（検出結果が白熱灯の光の分光特性に近似していた場合）には、電圧閾値Ｔｈは、主な光源が白熱灯である状況下で誤差Ｅを極力小さくすることが可能な値（「白熱灯」の閾値候補）に調節される。
【００６３】
なお本実施形態では、電圧閾値Ｔｈを調節するために複数の照度センサ（６１ａ〜６１ｃ）が用いられ、その中の一つの照度センサ６１ａが、発光輝度の制御にも用いられる形態となっている。但し発光輝度の制御に用いられる照度センサは、照度センサ６１ｂまたは照度センサ６１ｃとしても良く、上記複数の照度センサ（６１ａ〜６１ｃ）とは別に設けられていても良い。
【００６４】
また発光輝度の制御に用いられる照度センサは、複数個が設けられていても良い。例えば上記複数の照度センサ（６１ａ〜６１ｃ）の各々が、発光輝度の制御にも用いられるようにしても良い。この場合には、例えば、各照度センサ（６１ａ〜６１ｃ）に対して別々に電圧閾値Ｔｈが設定される。そして各照度センサ（６１ａ〜６１ｃ）のうちの何れかの検出信号値が電圧閾値Ｔｈ以下となった場合に、発光輝度の制御に関するモードが輝度抑制モードとされる。なおこの場合、各照度センサ（６１ａ〜６１ｃ）に対する電圧閾値Ｔｈの各々について、先述した電圧閾値調節動作が実行される。
【００６５】
２．第２実施形態
次に第２実施形態について説明する。なお以下の説明では、第１実施形態と異なる部分の説明に重点をおき、共通する部分については説明を省略することがある。
【００６６】
図１０は、制御部１６およびその周辺の構成に関するブロック図である。なお本図では、主に光源１５ａの発光輝度の制御に関わる部分を表示し、その他の部分の表示を省略している。図１０に示すように制御部１６は、照度センサ６１ａ、発光輝度制御部６２、および電圧閾値調節部６３等を有している。
【００６７】
照度センサ６１ａは、受光部（例えば、フォトダイオード或いはフォトトランジスタ）がテレビ放送受像機１の周囲空間へ露出するように配置されており、テレビ放送受像機１の周囲の照度（周囲照度）を検出する。照度センサ６１ａは、検出した照度に応じた検出信号を、電圧の信号（検出照度が高いほど電圧が高くなる信号）として出力する。照度センサ６１ａの検出信号は、発光輝度制御部６２や電圧閾値調節部６３等を有するＳｏＣへ送出される。
【００６８】
発光輝度制御部６２は、照度センサ６１ａの検出信号値が電圧閾値Ｔｈを超えているか否かに基づいて、光源１５ａの発光輝度を制御する。なお発光輝度制御部６２が行う動作については、基本的に第１実施形態と同様であるため、ここでは説明を省略する。
【００６９】
電圧閾値調節部６３は、電圧閾値Ｔｈを調節する役割を果たす。なお電圧閾値Ｔｈの調節が必要となる理由については、第１実施形態の場合と同様である。また電圧閾値調節部６３は、第１実施形態の場合と同様に、「蛍光灯」の閾値候補、「ＬＥＤ」の閾値候補、および「白熱灯」の閾値候補を記憶している。
【００７０】
但し第２実施形態の電圧閾値調節部６３は、ユーザによる閾値候補の選択（選択の情報入力）を受付けるための動作を実行する。そして部６３は、当該選択の情報に従って、電圧閾値Ｔｈを各閾値候補のうちの何れかに調節する。第２実施形態における電圧閾値調節動作の流れについて、図１１に示すフローチャートを参照しながら説明する。
【００７１】
制御部１６は、ユーザによる閾値候補の選択を待機する（ステップＳ２１）。なお当該選択を受付けるための手法としては、種々の形態が採用され得る。例えば制御部１６は、ユーザによる所定操作がなされたとき、図１２に例示するＯＳＤ画面７１を液晶パネルユニット１４に表示させる。なおＯＳＤ画面７１は、主な周囲光源の種類の選択を、ユーザに促すための画面である。
【００７２】
このときユーザは、ＯＳＤ画面７１内のポインタ７２を移動させて、「蛍光灯」、「ＬＥＤ」、および「白熱灯」の各選択肢の何れかを選択することが可能である。そして「蛍光灯」が選択されると、制御部１６は「蛍光灯」の閾値候補が選択されたとみなす。また「ＬＥＤ」が選択されると、制御部１６は「ＬＥＤ」の閾値候補が選択されたとみなす。また「白熱灯」が選択されると、制御部１６は「白熱灯」の閾値候補が選択されたとみなす。
【００７３】
何れかの閾値候補が選択されると（ステップＳ２１のＹ）、制御部１６は、光源１５ａの発光輝度の制御に用いられる電圧閾値Ｔｈを、今回選択された閾値候補に調節する（ステップＳ２２）。これにより電圧閾値Ｔｈは、現状の周囲光源に応じて適切に調節されることになる。その後、電圧閾値調節動作の流れはステップＳ２１に戻る。
【００７４】
ステップＳ２２の動作によれば、ユーザが主な周囲光源の種類を正しく選択（入力）することにより、電圧閾値Ｔｈが現状の周囲光源に応じて適切に調節されることになる。すなわち、主な周囲光源が蛍光灯である場合（「蛍光灯」の閾値候補が選択された場合）、電圧閾値Ｔｈは、主な周囲光源が蛍光灯である状況下で誤差Ｅを極力小さくすることが可能な値（「蛍光灯」の閾値候補）に調節される。
【００７５】
また主な周囲光源がＬＥＤである場合（「ＬＥＤ」の閾値候補が選択された場合）には、電圧閾値Ｔｈは、主な周囲光源がＬＥＤである状況下で誤差Ｅを極力小さくすることが可能な値（「ＬＥＤ」の閾値候補）に調節される。
【００７６】
また主な周囲光源が白熱灯である場合（「白熱灯」の閾値候補が選択された場合）には、電圧閾値Ｔｈは、主な周囲光源が白熱灯である状況下で誤差Ｅを極力小さくすることが可能な値（「白熱灯」の閾値候補）に調節される。
【００７７】
上述したように第２実施形態では、ユーザにより入力された電圧閾値Ｔｈを特定する情報（ユーザによる選択の結果）に基づいて、電圧閾値Ｔｈが調節される。すなわち第１実施形態では電圧閾値Ｔｈの自動調節が行われるのに対し、第２実施形態では、ユーザによる手動調節によって電圧閾値Ｔｈが調節される。
【００７８】
なお電圧閾値Ｔｈを特定する情報の具体的形態は特に限られない。例えば電圧閾値Ｔｈを特定する情報として、所望の電圧閾値Ｔｈの値がユーザによって直接入力され、電圧閾値Ｔｈが当該入力された値に調節されるようにしても良い。
【００７９】
また制御部１６は、電圧閾値Ｔｈの自動調節と手動調節の両方に対応した形態となっていても良い。このようにすれば、例えば、通常は電圧閾値Ｔｈが自動調節されるようにしながらも、必要に応じて電圧閾値Ｔｈを手動調節するといった使い方が可能となる。電圧閾値Ｔｈの自動調節と手動調節の両方に対応した実施形態の一例について、第３実施形態として以下に説明する。
【００８０】
３．第３実施形態
次に第３実施形態について説明する。なお第３実施形態は、電圧閾値調節動作に関する部分を除き、基本的に第１実施形態と同等である。以下の説明では、第１実施形態と異なる部分の説明に重点をおき、共通する部分については説明を省略することがある。
【００８１】
第３実施形態における電圧閾値調節動作の流れについて、図１３に示すフローチャートを参照しながら説明する。制御部１６は、ユーザによる電圧閾値Ｔｈの自動調節の実行指示を待機するとともに（ステップＳ３１）、ユーザによる閾値候補の選択を待機する（ステップＳ３２）。
【００８２】
電圧閾値Ｔｈの自動調節の実行指示がなされると（ステップＳ３１のＹ）、制御部１６は、電圧閾値Ｔｈの自動調節を開始する。すなわち制御部１６は、現時点における各照度センサ（６１ａ〜６１ｃ）の検出結果を取得し（ステップＳ３３）、予め記憶されている各閾値候補の中から、当該検出結果に対応したものを選出する（ステップＳ３４）。
【００８３】
そして制御部１６は、光源１５ａの発光輝度の制御に用いられる電圧閾値Ｔｈを、今回選出された閾値候補に調節する（ステップＳ３５）。その後、電圧閾値調節動作の流れはステップＳ３１に戻る。ステップＳ３５の動作により、電圧閾値Ｔｈは、現状の周囲光源に応じて適切に調節されることになる。なおステップＳ３３〜Ｓ３５の動作内容は、第１実施形態におけるステップＳ１２〜Ｓ１４の動作内容と同等にしても良い。
【００８４】
一方で、ユーザによる閾値候補の選択がなされると（ステップＳ３２のＹ）、制御部１６は、光源１５ａの発光輝度の制御に用いられる電圧閾値Ｔｈを、今回選択された閾値候補に調節する（ステップＳ３６）。これにより電圧閾値Ｔｈは、現状の周囲光源に応じて適切に調節されることになる。その後、電圧閾値調節動作の流れはステップＳ３１に戻る。
【００８５】
ステップＳ３６の動作によれば、ユーザが主な周囲光源の種類を正しく選択する（電圧閾値Ｔｈを特定する情報を入力する）ことにより、電圧閾値Ｔｈが現状の周囲光源に応じて適切に調節されることになる。なおステップＳ３６の動作内容は、第２実施形態におけるステップＳ２２の動作内容と同等にしても良い。
【００８６】
４．その他
各実施形態の制御部１６（制御装置）は、テレビ放送受像機１に設けられた光源１５ａの発光輝度を制御するものであって、テレビ放送受像機１の周囲照度を検出する照度センサ６１ａを備えている。また更に制御部１６は、照度センサ６１ａの検出信号値（検出照度）と電圧閾値Ｔｈの比較結果に基づいて光源１５ａの発光輝度を制御する、発光輝度制御部６２を備えている。
【００８７】
そして第１実施形態および第３実施形態の制御部１６は、分光感度特性が異なる複数の照度センサ（６１ａ〜６１ｃ）による周囲照度の検出結果に基づいて、電圧閾値Ｔｈを調節する電圧閾値調節部６３を備えている。電圧閾値調節部６３は、検出信号値が電圧閾値Ｔｈとなるときの実際の周囲照度の変動（周囲光の分光特性が変わることによる変動）を低減させるように、電圧閾値Ｔｈを調節するようになっている。
【００８８】
また電圧閾値調節部６３は、異なる前記検出結果ごとに対応した各閾値候補を記憶しており、電圧閾値をこれらの閾値候補のうちの何れかに調節するようになっている。なお第３実施形態における電圧閾値調節部６３は、ユーザにより閾値候補のうちの何れかを特定する情報が入力されたとき、電圧閾値Ｔｈをこの特定された閾値候補に調節するようになっている。
【００８９】
また第２実施形態における電圧閾値調節部６３は、ユーザにより入力された電圧閾値Ｔｈを特定する情報に基づいて、電圧閾値Ｔｈを調節するようになっている。電圧閾値Ｔｈを調節する形態として、各実施形態のうちの何れを採用するかについては、例えば製品の仕様等に応じて適切に決めることが可能である。何れが採用される場合にも、周囲光の分光特性の変動に関わらず、周囲の明るさに応じて光源の発光輝度を適切に制御することが容易となる。
【００９０】
また本発明の構成は、上記の各実施形態や変形例のほか、発明の主旨を逸脱しない範囲で種々の変更を加えることが可能である。すなわち、上記実施形態は、全ての点で例示であって、制限的なものではないと考えられるべきである。本発明の技術的範囲は、上記実施形態の説明ではなく、特許請求の範囲によって示されるものであり、特許請求の範囲と均等の意味及び範囲内に属する全ての変更が含まれると理解されるべきである。また本発明は、光源を備える各種の電子機器等に利用することができる。
【符号の説明】
【００９１】
１        テレビ放送受像機
１１      放送受信部
１２      放送信号処理部
１３      映像信号処理部
１４      液晶パネルユニット
１５      バックライトユニット
１５ａ    光源
１６      制御部（制御装置）
１７      操作部
６１、６１ａ〜６１ｃ    照度センサ
６２      発光輝度制御部
６３      電圧閾値調節部
７１      ＯＳＤ画面
７２      ポインタ
【図１】
2014220183.tif 000003
【図２】
2014220183.tif 000004
【図３】
2014220183.tif 000005
【図４】
2014220183.tif 000006
【図５】
2014220183.tif 000007
【図６】
2014220183.tif 000008
【図７】
2014220183.tif 000009
【図８】
2014220183.tif 000010
【図９】
2014220183.tif 000011
【図１０】
2014220183.tif 000012
【図１１】
2014220183.tif 000013
【図１２】
2014220183.tif 000014
【図１３】
2014220183.tif 000015